(57)【特許請求の範囲】
【請求項１】
弓道に用いる弓の握り部付近に対応する棒に、弓の反動力に代るゴム管等の弾性材の端部を、外竹側は、前記棒の握り部の上部付近に前向きに取り付け、内竹側は、そのやや下に後ろ向きに取り付けた弓道練習用具。
【請求項２】
弓道に用いる弓の握り部付近に対応する棒の、内竹側に後ろ向きに取り付けたゴム管等の弾性材の上に左手の親指の付け根を載せて前記棒の握り部を握り、外竹側に前向きに取り付けた前記弾性材を右回りに後ろ向きに方向転換して前記左手親指の上側に沿わせて、前記弾性材が前記棒を握る左手親指の付け根付近を上下から挟む状態を構成し、右手が前記弾性材の中央部を引けば、その張力と回転力を左手の虎口と角見で真っ直ぐに受け止めつつ、前記弾性材が握り部を握る左手親指の付け根付近を上下から挟む様に伸長する事を特徴とする弓道練習用具の使用方法。
【発明の詳細な説明】
【技術分野】
【０００１】  本発明は、弓道の技術を習得するための、弓道本来の弦を張った弓に代わる弓道練習用具に関する物である。
【背景技術】
【０００２】  従来の弓道本来の弦を張った弓に代わる弓道練習用具には、弓の握り部付近に対応する棒の、握り部より上側に穴を明け、又は取り付け部を設けて、ゴム等の弾性材の両端を一カ所に揃えて、外竹側又は右側の同方向に向けて取り付け、取り付けた前記弾性材の下側に在る握り部を左手で握る仕組みの物（例えば、特許文献１、特許文献２参照）がある。【０００３】  又、従来の弓道本来の弦を張った弓に代わる弓道練習用具には、弓の握り部付近に対応する棒の、握り部より上側と下側に穴を明け、又は取り付け部を設けて、ゴム等の弾性材の片端づつを、握り部より上側の外竹側又は右側と、握り部より下側の外竹側又は右側に取り付けて、その中間に在る握り部を左手で握る仕組みの物（例えば、特許文献３、特許文献４、特許文献５参照）がある。【０００４】
【特許文献１】  特許第３７１９１２３号
【特許文献２】  特許公開２００４−１８１００２
【特許文献３】  特許公開２００１−３５３２４６
【特許文献４】  登録実用新案第３０７５０６５号
【特許文献５】  登録実用新案第３０９６３７６号
【発明の開示】
【発明が解決しようとする課題】
【０００５】  前述した弓道練習用具の、前記弾性材の取り付け位置より下側に在る握り部を左手で握る仕組みの物には、左手で前記握り部を握って押し、右手で前記弾性材の中央を引っ張る使用時に、前記握り部を握る左手より上側に前記弾性材の張力と回転力が集中するため、張力が増す程に前記棒を左手から上へ引き抜こうとする力が増大する危険がある。【０００６】  又、前述した弓道練習用具の、握り部より上側と下側に取り付けた前記弾性材の中間に在る握り部を左手で握る仕組みの物には、前記弾性材の取り付け位置が上下に離れているため、前記使用時に、前記弾性材の上側と下側との張力の均衡が取り難い上、引き伸ばした前記弾性材を右手が離した際に真っ直ぐに収縮して左手首に当たる危険がある。【０００７】  そのため使用者に、前記棒が抜け飛ばない様に強く握り締める。又、手首を傾けて上側を押し小指側を引き寄せて上に抜けない角度を作る。前記弾性材の上側と下側との張力の均衡を探る。離す際に手に当たらない様に左手首を外向けに振る。等の、弓本来の手と握り部の関係とは異なった、危険を回避するための行為をさせる不具合を生じている。【０００８】  本発明は、この様な従来の弓道練習用具の有する危険と不具合の解決を課題とし、使用者が安全に正しい弓道技術を習得出来る弓道練習用具を提供する事を目的とする。
【課題を解決するための手段】
【０００９】  本発明は、上記の課題を解決するため、弓道に用いる弓の握り部付近に対応する棒の、握り部の上部付近の左寄りとそのすぐ右下に二カ所の貫通穴と穴に続く溝を設け、弓の反動力に代るゴム管等の弾性材の端部を片端づつ、左寄りの穴は外竹側から、すぐ右下の穴は内竹側からと逆向きに取り付け、それぞれを穴に続く溝に納めた構造と、【００１０】  使用時、内竹側に後ろ向きに取り付けた前記弾性材の上に、左手の親指の付け根を載せて前記棒の握り部を握り、外竹側に前向きに取り付けた前記弾性材を、右回りに後ろ向きに方向転換して前記左手親指の上側に沿わせて、前記弾性材が左手親指の付け根付近を上下から挟む状態を構成し、右手が前記弾性材の中央部を引けば、その張力と回転力を左手の虎口と角見で真っ直ぐに受け止めつつ、前記弾性材が握り部を握る左手親指の付け根付近を上下から挟む様に伸長する事を特徴とする弓道練習用具の使用方法とで構成する。【００１１】  この様に本発明は、外竹側と内竹側に取り付けた前記弾性材を、前記棒の握り部を持つ左手親指の付け根付近を上下から挟む様に伸張させる事によって、前記弾性材の張力と回転力とを、前記棒の握り部を握る左手の虎口と角見で真っ直ぐに受け止める仕組みを構成し、課題である従来の弓道練習用具の持つ危険と不具合を解決して、安全に正しい弓道技術を習得できる様にしたものである。
【発明の効果】
【００１２】  本発明は、ゴム管等の弾性材が前記棒の握り部を持つ左手親指の付け根付近を上下から挟む様に伸張する仕組みと使用方法を構成した事によって、前記棒の握り部を握る左手の虎口と角見とで前記弾性材の張力と回転力を真っ直ぐに受け止める効果を獲得した。【００１３】  その結果、前記弾性材の張力が増す程に前記棒を上へ引き抜く力が増大する危険は解決された。よって、使用者に強く握る等の危険回避行為をさせていた不具合も解決した。【００１４】  又、前記弾性材が伸張し張力が増大しても上下の力の不均衡は生じないので押し引きする力の方向が安定した。よって、使用者に前記弾性材の張力の不均衡を是正する行為をさせていた不具合も解決した。【００１５】  又、本発明は、前記弾性材を引いて離した際に前記弾性材が前記棒の右側を回る様に収縮する。よって、握り部を持つ左手の手首にあたる事は無く、当たるのを恐れて手首を振ってしまう危険回避行為も解決した。【００１６】  本発明は、弓を強く握り締めない。虎口と角見で張力と回転力を受け止める。角見に張力を感じながら角見を効かせて真っ直ぐに押す。という中押しの手の内が形成できる弓道練習用具として、正しい弓道技術の習得に効果を発揮する。
【発明を実施するための最良の形態】
【００１７】  以下、本発明の実施の形態を図１〜図３において説明する。
【実施例】
【００１８】  図１に使用方法を示した。使用には先ず、弾性材の使用時の切断に備えた輪状の紐１４に手首を通す。【００１９】  弓の握り部付近に対応する棒１の内竹側３に後ろ向きに取り付けたゴム管等の弾性材４の内竹側取り付け部付近６の上に左手親指１１の付け根を載せて、左手虎口を握り部１０の上部に当て、外竹側２の左角に掌の天紋筋を合せ、中指、薬指、小指の三指の第一関節が外竹側２の右角に合う様に握り部１０を軽く握り、左手親指１１の腹と中指の爪の人差指側を密着させる。【００２０】  外竹側２に前向きに取り付けた前記弾性材４の外竹側取り付け部付近５を、棒１の右側を回して後ろ向きに方向転換７して握り部１０を握る左手親指１１の上側に沿わせ、前記弾性材４が左手親指１１の付け根を上下から挟む状態を構成する。【００２１】  前記弾性材４の中央辺り１２に右手親指を掛け、弓道の習いの如く打起し、引き分けて会に到り、しっかりと延びあった上で真っ直ぐに押し引きして離れに到る。【００２２】  図２〜図３は、弓の握り部付近に対応する棒１の、外竹側２の握り部１０の上部付近の左寄りに設けた穴に、前記弾性材４の外竹側取り付け部付近５の端部を外竹側２から入れて内竹側固定溝８に納め、内竹側３の握り部１０の上部付近の右下に設けた穴に、前記弾性材４の内竹側取り付け部付近６の端部を内竹側３から入れて外竹側固定溝９に納めた本発明の構造を示している。
【図面の簡単な説明】
【００２３】
【図１】  本発明の使用状態を示す外観図
【図２】  本発明の弓の握り部に対応する棒と、弓の反動力に代わるゴム管等の弾性材との構造を示す図３側面断面図のＡ−Ａ線断面図
【図３】  同、図２平面断面図のＢ−Ｂ線断面図
【符号の説明】
【００２４】        １    弓の握り部付近に対応する棒
２    棒１の外竹側面
３    棒１の内竹側面
４    弓の反動力に代わるゴム管等の弾性材
５    弾性材４の外竹側取り付け部付近
６    弾性材４の内竹側取り付け部付近
７    弾性材４を外竹側取り付け部付近５から後ろ向きに方向転換した状態
８    内竹側固定溝と外竹側面２から組み込んだ弾性材４の端部
９    外竹側固定溝と内竹側面３から組み込んだ弾性材４の端部
１０    棒１の握り部
１１    左手親指
１２    弾性材４の右手親指を掛ける中央部分
１３    棒１の下部に設けた輪状の紐の取り付け用穴
１４    輪状の紐
【図１】
0004668895.tif 000002
【図２】
0004668895.tif 000003
【図３】
0004668895.tif 000004